(57)【要約】【課題】レーダ画像を見ながらより容易にスイッチ操作を行うことを可能にすること。【解決手段】本発明のレーダ表示装置は、レーダ画像を含む表示領域と、ソフトウェアスイッチを含む操作領域とを含む画面を、表示装置に表示する表示制御部と、上記表示領域内の位置における第１のユーザ操作に応じて、仮想カーソル情報を生成する操作処理部と、を備える。上記表示制御部は、上記仮想カーソル情報に基づいて、上記表示領域内の上記位置に仮想カーソルを表示し、上記操作処理部は、上記操作領域内の上記ソフトウェアスイッチ上での第２のユーザ操作に応じて、上記位置について上記ソフトウェアスイッチに対応する処理を行う。【選択図】図２
2017181907.tif 000002
【特許請求の範囲】
【請求項１】
レーダ画像を含む表示領域と、ソフトウェアスイッチを含む操作領域とを含む画面を、表示装置に表示する表示制御部と、
前記表示領域内の位置における第１のユーザ操作に応じて、仮想カーソル情報を生成する操作処理部と、
を備え、
前記表示制御部は、前記仮想カーソル情報に基づいて、前記表示領域内の前記位置に仮想カーソルを表示し、
前記操作処理部は、前記操作領域内の前記ソフトウェアスイッチ上での第２のユーザ操作に応じて、前記位置について前記ソフトウェアスイッチに対応する処理を行う、
レーダ表示装置。
【請求項２】
前記表示装置は、タッチパネル式ディスプレイであり、
前記第１のユーザ操作又は前記第２のユーザ操作は、前記タッチパネル式ディスプレイ上でのタッチ操作である、
請求項１に記載のレーダ表示装置。
【請求項３】
前記第１のユーザ操作又は前記第２のユーザ操作は、ポインティングデバイスを用いた操作である、請求項１又は２に記載のレーダ表示装置。
【請求項４】
前記操作処理部は、前記画面におけるユーザ操作に応じて、操作カーソル情報を生成し、
前記表示制御部は、前記操作カーソル情報に基づいて、前記画面内に前記仮想カーソルとは異なる操作カーソルを表示する、
請求項１〜３のいずれか１項に記載のレーダ表示装置。
【請求項５】
前記位置は、オブジェクトの表示位置であり、
前記操作処理部は、上記第２のユーザ操作に応じて、前記オブジェクトを対象として前記ソフトウェアスイッチに対応する処理を行う、
請求項１〜４のいずれか１項に記載のレーダ表示装置。
【請求項６】
前記オブジェクトは、前記レーダ画像に含まれる移動目標である、請求項５に記載のレーダ表示装置。
【請求項７】
前記レーダ画像は、航空レーダ画像であり、
前記移動目標は、航空機である、
請求項６に記載のレーダ表示装置。
【請求項８】
レーダ画像を含む表示領域と、ソフトウェアスイッチを含む操作領域とを含む画面を、表示装置に表示することと、
前記表示領域内の位置における第１のユーザ操作に応じて、仮想カーソル情報を生成することと、
前記仮想カーソル情報に基づいて、前記表示領域内の前記位置に仮想カーソルを表示することと、
前記操作領域内の前記ソフトウェアスイッチ上での第２のユーザ操作に応じて、前記位置について前記ソフトウェアスイッチに対応する処理を行うことと、
を含む方法。
【請求項９】
レーダ画像を含む表示領域と、ソフトウェアスイッチを含む操作領域とを含む画面を、表示装置に表示することと、
前記表示領域内の位置における第１のユーザ操作に応じて、仮想カーソル情報を生成することと、
前記仮想カーソル情報に基づいて、前記表示領域内の前記位置に仮想カーソルを表示することと、
前記操作領域内の前記ソフトウェアスイッチ上での第２のユーザ操作に応じて、前記位置について前記ソフトウェアスイッチに対応する処理を行うことと、
をプロセッサに実行させるためのプログラム。
【発明の詳細な説明】
【技術分野】
【０００１】
本発明は、レーダ表示装置、方法及びプログラムに関する。
【背景技術】
【０００２】
レーダ表示装置は、レーダ画像（レーダビデオ）、移動目標及びその航跡などを表示する。レーダ表示装置についての操作を行うために、例えば、ポインティングデバイス、ソフトウェアスイッチを表示するタッチパネル、又はハードウェアスイッチなどの独立した入力装置が使用され得る。
【０００３】
例えば、特許文献１〜３には、レーダ表示装置の操作に関する技術が開示されている。
【先行技術文献】
【特許文献】
【０００４】
【特許文献１】特開２０１５−１６６９５３号公報
【特許文献２】特開２００１−２６５４７６号公報
【特許文献３】特開平０５−１０８２３０号公報
【発明の概要】
【発明が解決しようとする課題】
【０００５】
しかし、上述したような独立した入力装置（特にソフトウェアスイッチを表示するタッチパネル又はハードウェアスイッチ）が使用される場合には、表示されるレーダ画像を見ながら操作しにくくなり得る。即ち、操作性が低くなり得る。そのため、レーダ画像を見ながら操作することがより容易になることが望ましい。
【０００６】
また、例えば仮にレーダ画像とソフトウェアスイッチとを同じ画面に表示するとしても、例えば、レーダ画像内のオブジェクト上に操作カーソルを移動させると、ソフトウェアスイッチを選択できなくなり得る。
【０００７】
本発明の目的は、レーダ画像を見ながらより容易にスイッチ操作を行うことを可能にすることにある。
【課題を解決するための手段】
【０００８】
本発明のレーダ表示装置は、レーダ画像を含む表示領域と、ソフトウェアスイッチを含む操作領域とを含む画面を、表示装置に表示する表示制御部と、上記表示領域内の位置における第１のユーザ操作に応じて、仮想カーソル情報を生成する操作処理部と、を備える。上記表示制御部は、上記仮想カーソル情報に基づいて、上記表示領域内の上記位置に仮想カーソルを表示し、上記操作処理部は、上記操作領域内の上記ソフトウェアスイッチ上での第２のユーザ操作に応じて、上記位置について上記ソフトウェアスイッチに対応する処理を行う。
【０００９】
本発明の方法は、レーダ画像を含む表示領域と、ソフトウェアスイッチを含む操作領域とを含む画面を、表示装置に表示することと、上記表示領域内の位置における第１のユーザ操作に応じて、仮想カーソル情報を生成することと、上記仮想カーソル情報に基づいて、上記表示領域内の上記位置に仮想カーソルを表示することと、上記操作領域内の上記ソフトウェアスイッチ上での第２のユーザ操作に応じて、上記位置について上記ソフトウェアスイッチに対応する処理を行うことと、を含む。
【００１０】
本発明のプログラムは、レーダ画像を含む表示領域と、ソフトウェアスイッチを含む操作領域とを含む画面を、表示装置に表示することと、上記表示領域内の位置における第１のユーザ操作に応じて、仮想カーソル情報を生成することと、上記仮想カーソル情報に基づいて、上記表示領域内の上記位置に仮想カーソルを表示することと、上記操作領域内の上記ソフトウェアスイッチ上での第２のユーザ操作に応じて、上記位置について上記ソフトウェアスイッチに対応する処理を行うことと、をプロセッサに実行させるためのプログラムである。
【発明の効果】
【００１１】
本発明によれば、レーダ画像を見ながらより容易にスイッチ操作を行うことが可能になる。なお、本発明により、当該効果の代わりに、又は当該効果とともに、他の効果が奏されてもよい。
【図面の簡単な説明】
【００１２】
【図１】第１の実施形態に係るレーダ表示装置の概略的な構成の例を示すブロック図である。
【図２】第１の実施形態に係るレーダ表示装置の動作の例を説明するための説明図である。
【図３】第１の実施形態に係る処理の概略的な流れの例を説明するためのフローチャートである。
【図４】第１の実施形態の第２の変形例に係るレーダ表示装置の概略的な構成の例を示すブロック図である。
【図５】第２の実施形態に係るレーダ表示装置の概略的な構成の例を示すブロック図である。
【図６】第２の実施形態に係る処理の概略的な流れの例を説明するためのフローチャートである。
【発明を実施するための形態】
【００１３】
以下、添付の図面を参照して本発明の実施形態を詳細に説明する。なお、本明細書及び図面において、同様に説明されることが可能な要素については、同一の符号を付することにより重複説明が省略され得る。
【００１４】
説明は、以下の順序で行われる。
１．第１の実施形態
１．１．レーダ表示装置の構成
１．２．技術的特徴
１．３．処理の流れ
１．４．変形例
２．第２の実施形態
２．１．レーダ表示装置の構成
２．２．技術的特徴
２．３．処理の流れ
【００１５】
＜＜１．第１の実施形態＞＞
まず、図１〜図４を参照して、本発明の第１の実施形態を説明する。
【００１６】
＜１．１．レーダ表示装置の構成＞
図１を参照して、第１の実施形態に係るレーダ表示装置１００の構成の例を説明する。図１は、第１の実施形態に係るレーダ表示装置１００の概略的な構成の例を示すブロック図である。図１を参照すると、レーダ表示装置１００は、外部インタフェース部１１０、表示制御部１２０、操作処理部１３０、タッチパネル式ディスプレイ１４０、ポインティングデバイス１５０及びキーボード１６０を備える。タッチパネル式ディスプレイ１４０は、表示のためのディスプレイ１４１と、操作のためのタッチパネル１４３とを含む。
【００１７】
外部インタフェース部１１０は、レーダ画像（レーダビデオ）などを外部から取得して処理し、処理結果を表示制御部１２０に提供する。
【００１８】
表示制御部１２０は、外部インタフェース部１１０からの処理結果と、操作処理部１３０からの情報とに基づいて、画面（ディスプレイに表示される画像）を生成し、当該画面をタッチパネル式ディスプレイ１４０（ディスプレイ１４１）に表示する。換言すると、表示制御部１２０は、当該画面をタッチパネル式ディスプレイ１４０（ディスプレイ１４１）に表示させる。例えば、このような画面の生成及び表示が周期的に行われる。
【００１９】
操作処理部１３０は、ユーザ操作に応じて処理を行う。例えば、当該ユーザ操作は、タッチパネル式ディスプレイ１４０（タッチパネル１４３）上でのタッチ操作、ポインティングデバイス１５０を用いた操作、又は、キーボード１６０を用いた操作である。
【００２０】
例えば、ポインティングデバイス１５０は、マウスである。
【００２１】
なお、レーダ表示装置１００は上述した例に限られない。例えば、レーダ表示装置１００は、他の構成要素をさらに備えてもよい。また、レーダ表示装置１００は、上述した構成要素の一部を備えなくてもよい。具体的には、例えば、レーダ表示装置１００は、タッチパネル式ディスプレイ１４０、ポインティングデバイス１５０及びキーボード１６０のうちの１つ以上の装置を含まず、当該１つ以上の装置は、レーダ表示装置１００から独立した装置であってもよい。
【００２２】
＜１．２．技術的特徴＞
次に、図２を参照して、第１の実施形態に係る技術的特徴を説明する。
【００２３】
第１の実施形態では、表示制御部１２０は、レーダ画像を含む表示領域と、ソフトウェアスイッチを含む操作領域とを含む画面を、タッチパネル式ディスプレイ１４０に表示する。操作処理部１３０は、上記表示領域内の位置における第１のユーザ操作に応じて、仮想カーソル情報を生成する。その後、表示制御部１２０は、上記仮想カーソル情報に基づいて、上記表示領域内の上記位置に仮想カーソルを表示する。さらに、操作処理部１３０は、上記操作領域内の上記ソフトウェアスイッチ上での第２のユーザ操作に応じて、上記位置について上記ソフトウェアスイッチに対応する処理を行う。
【００２４】
（１）ユーザ操作
例えば、上記第１のユーザ操作又は上記第２のユーザ操作は、タッチパネル式ディスプレイ１４０上でのタッチ操作である。一例として、当該タッチ操作は、押下及び解放の操作である。
【００２５】
上記第１のユーザ操作又は上記第２のユーザ操作は、ポインティングデバイス１５０（又はキーボード１６０）を用いた操作であってもよい。一例として、当該操作は、クリック操作であってもよい。
【００２６】
第１の例として、上記第１のユーザ操作は、上記表示領域内の上記位置におけるタッチ操作であり、上記第２のユーザ操作は、上記ソフトウェアスイッチ上でのタッチ操作である。
【００２７】
第２の例として、上記第１のユーザ操作は、上記表示領域内の上記位置におけるタッチ操作であってもよく、上記第２のユーザ操作は、上記ソフトウェアスイッチ上でのポインティングデバイス１５０を用いた操作（例えばクリック操作）であってもよい。
【００２８】
第３の例として、上記第１のユーザ操作は、上記表示領域内の上記位置におけるポインティングデバイス１５０を用いた操作（例えばクリック操作）であってもよく、上記第２のユーザ操作は、上記ソフトウェアスイッチ上でのタッチ操作であってもよい。
【００２９】
第４の例として、上記第１のユーザ操作は、上記表示領域内の上記位置におけるポインティングデバイス１５０を用いた操作（例えばクリック操作）であってもよく、上記第２のユーザ操作は、上記ソフトウェアスイッチ上でのポインティングデバイス１５０を用いた操作（例えばクリック操作）であってもよい。
【００３０】
（２）仮想カーソル
例えば、上記仮想カーソルは、上記表示領域内の位置におけるユーザ操作（例えば、タッチ操作又はポインティングデバイス１５０を用いたクリック操作）に応じて、当該位置に表示される。このように、上記仮想カーソルは、アンカーのように配置されることになる。
【００３１】
なお、上記仮想カーソル情報は、上記表示領域内の上記位置に上記仮想カーソルを表示するための情報であり、上記位置を示す位置情報を含む。当然ながら、上記仮想カーソル情報は、他の情報（一例として、上記仮想カーソルの形状を示す情報など）をさらに含んでもよい。
【００３２】
（３）操作カーソル
例えば、上記仮想カーソルだけではなく、通常の操作カーソルも表示される。具体的には、操作処理部１３０は、上記画面におけるユーザ操作に応じて、操作カーソル情報を生成する。例えば、当該ユーザ操作は、ポインティングデバイス１５０を用いた操作である。あるいは、当該ユーザ操作は、タッチ操作であってもよい。そして、表示制御部１２０は、上記操作カーソル情報に基づいて、上記画面内に操作カーソルを表示する。
【００３３】
例えば、上記操作カーソルは、ポインティングデバイス１５０を用いた操作に応じて移動する。
【００３４】
なお、上記仮想カーソル情報は、操作カーソルを表示するための情報であり、操作カーソルを表示する位置を示す位置情報を含む。当然ながら、上記仮想カーソル情報は、他の情報（一例として、上記操作カーソルの形状を示す情報など）をさらに含んでもよい。
【００３５】
（４）スイッチ処理
上述したように、操作処理部１３０は、上記ソフトウェアスイッチ上での上記第２のユーザ操作に応じて、上記表示領域内の上記位置（上記仮想カーソルの位置）について上記ソフトウェアスイッチに対応する処理を行う。
【００３６】
例えば、上記表示領域内の上記位置（上記仮想カーソルの位置）は、オブジェクトの表示位置である。この場合に、操作処理部１３０は、上記第２のユーザ操作に応じて、上記オブジェクトを対象として上記ソフトウェアスイッチに対応する処理を行う。例えば、上記オブジェクトは、上記レーダ画像に含まれる移動目標である。一例として、上記レーダ画像は、航空レーダ画像であり、上記移動目標は、航空機である。
【００３７】
なお、表示制御部１２０は、上記処理に応じた画面をタッチパネル式ディスプレイ１４０に表示する。
【００３８】
（５）動作の例
図２は、第１の実施形態に係るレーダ表示装置１００の動作の例を説明するための説明図である。図２を参照すると、表示制御部１２０によりタッチパネル式ディスプレイ１４０に表示される画面１０が示されている。
【００３９】
画面１０は、表示領域１１及び操作領域１３を含む。表示領域１１は、レーダ画像（レーダビデオ）を含む。一例として、当該レーダ画像は、航空レーダ画像である。また、操作領域１３は、ソフトウェアスイッチを含む。
【００４０】
また、画面１０には、ポインティングデバイス１５０を用いた操作のための操作カーソル１５も含まれる。操作カーソル１５は、ユーザ操作（例えばポインティングデバイス１５０を用いた操作）に応じて、（表示領域１１及び操作領域１３を問わず）画面１０内で移動する。図２には、２つの操作カーソル１５が示されているが、これは１つの操作カーソル１５が移動することを示すものであり、２つの操作カーソルが同時に表示されることを意味しない。
【００４１】
とりわけ第１の実施形態では、表示領域内の位置での操作（例えば、タッチ操作又はポインティングデバイス１５０を用いた操作）に応じて、当該位置に仮想カーソル１７（アンカー）が表示される。さらに、操作領域１３内のソフトウェアスイッチ上でのユーザ操作（例えばタッチ操作（例えば押下及び解放の操作）又はポインティングデバイス１５０を用いた操作（例えばクリック操作））に応じて、仮想カーソル１７の位置について上記ソフトウェアスイッチに対応する処理が行われる。一例として、仮想カーソル１７の位置が移動目標（航空機）の表示位置であり、当該移動目標（航空機）を対象として上記処理が行われる。そして、当該処理に応じた画面１０が表示される。
【００４２】
以上、第１の実施形態に係る技術的特徴を説明した。これにより、例えば、レーダ画像を見ながらより容易にスイッチ操作を行うことが可能になる。
【００４３】
＜１．３．処理の流れ＞
次に、図３を参照して、第１の実施形態に係る処理の例を説明する。図３は、第１の実施形態に係る処理の概略的な流れの例を説明するためのフローチャートである。
【００４４】
画面に含まれる表示領域内の位置におけるユーザ操作（例えば、タッチ操作又はクリック操作）がある場合には（Ｓ２０１：ＹＥＳ）、操作処理部１３０は、仮想カーソル情報を生成する（Ｓ２０３）。そして、表示制御部１２０は、上記仮想カーソル情報に基づいて、上記表示領域内の上記位置に仮想カーソルを表示する（Ｓ２０５）。
【００４５】
さらに、画面に含まれる操作領域内のソフトウェアスイッチ上でのユーザ操作（例えば、タッチ操作又はクリック操作）がある場合には（Ｓ２０７：ＹＥＳ）、操作処理部１３０は、上記位置について上記ソフトウェアスイッチに対応する処理を行う（Ｓ２０９）。そして、処理はステップＳ２０１へ戻る。一方、上記ソフトウェアスイッチ上でのユーザ操作がない場合（Ｓ２０７：ＮＯ）、処理はステップＳ２０５へ戻る。
【００４６】
なお、仮想カーソルが表示される（Ｓ２０５）か否かによらず、表示領域及び操作領域を含む画面がタッチパネル式ディスプレイ１４０に表示される。
【００４７】
＜１．４．変形例＞
次に、図４を参照して、第１の実施形態に係る変形例を説明する。
【００４８】
（１）第１の変形例
第１の実施形態の上述した例では、主として、１つの仮想カーソルが表示される例を説明したが、第１の実施形態はこの例に限定されない。
【００４９】
第１の実施形態の第１の変形例では、操作処理部１３０は、上記表示領域内の複数の位置におけるユーザ操作に応じて、仮想カーソル情報を生成してもよい。そして、表示制御部１２０は、当該仮想カーソル情報に基づいて、上記表示領域内の上記複数の位置に仮想カーソルを表示してもよい。さらに、操作処理部１３０は、上記操作領域内の上記ソフトウェアスイッチ上でのユーザ操作に応じて、上記複数の位置について上記ソフトウェアスイッチに対応する処理を行ってもよい。
【００５０】
これにより、例えば、複数のオブジェクトに対する処理を一括で行うことが可能になる。その結果、操作の負担が軽減され得る。
【００５１】
（２）第２の変形例
第１の実施形態の上述した例では、操作処理部１３０から表示制御部１２０への入力があり、さらに、外部インタフェース部１１０から表示制御部１２０への入力もある。そのため、入力が複雑になる可能性もある。
【００５２】
第１の実施形態の第２の変形例では、図４に示されるように、レーダ表示装置１００は、メモリ１７０をさらに備える。外部インタフェース部１１０及び操作処理部１３０は、表示制御部１２０に直接的に情報を提供するのではなく、情報をメモリ１７０に保存する。そして、表示制御部１２０は、メモリ１７０から当該情報を取得する。
【００５３】
これにより、入力の複雑さが軽減され得る。
【００５４】
以上、第１の実施形態を説明した。上述した第１の実施形態によれば、例えば、レーダ画像を見ながらより容易にスイッチ操作を行うことが可能になる。
【００５５】
＜＜２．第２の実施形態＞＞
続いて、図５及び図６を参照して、本発明の第２の実施形態を説明する。上述した第１の実施形態は、具体的な実施形態であるが、第２の実施形態は、より一般化された実施形態である。
【００５６】
＜２．１．レーダ表示装置の構成＞
図５を参照して、第２の実施形態に係るレーダ表示装置３００の構成の例を説明する。図５は、第２の実施形態に係るレーダ表示装置３００の概略的な構成の例を示すブロック図である。図５を参照すると、レーダ表示装置３００は、表示制御部３１０及び操作処理部３２０を備える。
【００５７】
表示制御部３１０及び操作処理部３２０の動作は、第２の実施形態に係る技術的特徴として後述する。
【００５８】
レーダ表示装置３００は、表示制御部３１０及び操作処理部３２０以外の構成要素を含んでもよい。例えば、レーダ表示装置３００は、表示装置をさらに備えてもよい。当該表示装置は、タッチパネル式ディスプレイであってもよい。
【００５９】
＜２．２．技術的特徴＞
次に、第２の実施形態に係る技術的特徴を説明する。
【００６０】
第２の実施形態では、表示制御部３１０は、レーダ画像を含む表示領域と、ソフトウェアスイッチを含む操作領域とを含む画面を、表示装置に表示する。操作処理部３２０は、上記表示領域内の位置における第１のユーザ操作に応じて、仮想カーソル情報を生成する。表示制御部３１０は、上記仮想カーソル情報に基づいて、上記表示領域内の上記位置に仮想カーソルを表示する。操作処理部３２０は、上記操作領域内の上記ソフトウェアスイッチ上での第２のユーザ操作に応じて、上記位置について上記ソフトウェアスイッチに対応する処理を行う。
【００６１】
一例として、表示制御部３１０及び操作処理部３２０は、第１の実施形態の表示制御部１２０及び操作処理部１３０と同様に動作する。また、第１の実施形態におけるユーザ操作、仮想カーソル、操作カーソル、スイッチ処理及び動作の例の説明は、第２の実施形態にも適用され得る。よって、ここでは重複する説明を省略する。なお、当然ながら第２の実施形態はこの例に限定されない。
【００６２】
＜２．３．処理の流れ＞
次に、図６を参照して、第２の実施形態に係る処理の例を説明する。図６は、第２の実施形態に係る処理の概略的な流れの例を説明するためのフローチャートである。
【００６３】
表示制御部３１０は、レーダ画像を含む表示領域と、ソフトウェアスイッチを含む操作領域とを含む画面を、表示装置に表示する（Ｓ４０１）。
【００６４】
操作処理部３２０は、上記表示領域内の位置における第１のユーザ操作に応じて、仮想カーソル情報を生成する（Ｓ４０３）。
【００６５】
表示制御部３１０は、上記仮想カーソル情報に基づいて、上記表示領域内の上記位置に仮想カーソルを表示する（Ｓ４０５）。
【００６６】
操作処理部３２０は、上記操作領域内の上記ソフトウェアスイッチ上での第２のユーザ操作に応じて、上記位置について上記ソフトウェアスイッチに対応する処理を行う（Ｓ４０７）。
【００６７】
そして、処理は終了する。あるいは、処理が繰り返されても良い。
【００６８】
以上、第２の実施形態を説明した。上述した第２の実施形態によれば、例えば、レーダ画像を見ながらより容易にスイッチ操作を行うことが可能になる。
【００６９】
以上、本発明の実施形態を説明した。本発明は上述した実施形態に限定されるものではなく、本発明の要旨の範囲内において種々に変形して実施をすることが可能である。上述した実施形態は例示であり、実施形態の組合せやそれらの各構成要素や各処理プロセスの組合せに様々な変形例が可能なこと、またそうした変形例も本発明の範囲にあることは、当業者に理解されるところである。
【００７０】
例えば、本明細書に記載されている処理におけるステップは、必ずしもフローチャートに記載された順序に沿って時系列に実行されなくてよい。例えば、処理におけるステップは、フローチャートとして記載した順序と異なる順序で実行されても、並列的に実行されてもよい。
【００７１】
また、本明細書において説明したレーダ表示装置の構成要素（例えば、表示制御部及び操作処理部）を備えるモジュールが提供されてもよい。また、当該構成要素の処理を含む方法が提供されてもよく、当該構成要素の処理をプロセッサに実行させるためのプログラムが提供されてもよい。また、当該プログラムを記録した記録媒体が提供されてもよい。当然ながら、このようなモジュール、方法、プログラム及び記録媒体も本発明に含まれる。
【００７２】
上記実施形態の一部又は全部は、以下の付記のようにも記載され得るが、以下には限られない。
【００７３】
（付記１）
レーダ画像を含む表示領域と、ソフトウェアスイッチを含む操作領域とを含む画面を、表示装置に表示する表示制御部と、
前記表示領域内の位置における第１のユーザ操作に応じて、仮想カーソル情報を生成する操作処理部と、
を備え、
前記表示制御部は、前記仮想カーソル情報に基づいて、前記表示領域内の前記位置に仮想カーソルを表示し、
前記操作処理部は、前記操作領域内の前記ソフトウェアスイッチ上での第２のユーザ操作に応じて、前記位置について前記ソフトウェアスイッチに対応する処理を行う、
レーダ表示装置。
【００７４】
（付記２）
前記表示装置は、タッチパネル式ディスプレイであり、
前記第１のユーザ操作又は前記第２のユーザ操作は、前記タッチパネル式ディスプレイ上でのタッチ操作である、
付記１に記載のレーダ表示装置。
【００７５】
（付記３）
前記第１のユーザ操作又は前記第２のユーザ操作は、ポインティングデバイスを用いた操作である、付記１又は２に記載のレーダ表示装置。
【００７６】
（付記４）
前記操作処理部は、前記画面におけるユーザ操作に応じて、操作カーソル情報を生成し、
前記表示制御部は、前記操作カーソル情報に基づいて、前記画面内に前記仮想カーソルとは異なる操作カーソルを表示する、
付記１〜３のいずれか１項に記載のレーダ表示装置。
【００７７】
（付記５）
前記位置は、オブジェクトの表示位置であり、
前記操作処理部は、上記第２のユーザ操作に応じて、前記オブジェクトを対象として前記ソフトウェアスイッチに対応する処理を行う、
付記１〜４のいずれか１項に記載のレーダ表示装置。
【００７８】
（付記６）
前記オブジェクトは、前記レーダ画像に含まれる移動目標である、付記５に記載のレーダ表示装置。
【００７９】
（付記７）
前記レーダ画像は、航空レーダ画像であり、
前記移動目標は、航空機である、
付記６に記載のレーダ表示装置。
【００８０】
（付記８）
レーダ画像を含む表示領域と、ソフトウェアスイッチを含む操作領域とを含む画面を、表示装置に表示することと、
前記表示領域内の位置における第１のユーザ操作に応じて、仮想カーソル情報を生成することと、
前記仮想カーソル情報に基づいて、前記表示領域内の前記位置に仮想カーソルを表示することと、
前記操作領域内の前記ソフトウェアスイッチ上での第２のユーザ操作に応じて、前記位置について前記ソフトウェアスイッチに対応する処理を行うことと、
を含む方法。
【００８１】
（付記９）
レーダ画像を含む表示領域と、ソフトウェアスイッチを含む操作領域とを含む画面を、表示装置に表示することと、
前記表示領域内の位置における第１のユーザ操作に応じて、仮想カーソル情報を生成することと、
前記仮想カーソル情報に基づいて、前記表示領域内の前記位置に仮想カーソルを表示することと、
前記操作領域内の前記ソフトウェアスイッチ上での第２のユーザ操作に応じて、前記位置について前記ソフトウェアスイッチに対応する処理を行うことと、
をプロセッサに実行させるためのプログラム。
【符号の説明】
【００８２】
１０            画面
１１            表示領域
１３            操作領域
１５            操作カーソル
１７            仮想カーソル
１００、３００  レーダ表示装置
１１０          外部インタフェース部
１２０、３１０  表示制御部
１３０、３２０  操作処理部
１４０          タッチパネル式ディスプレイ
１５０          ポインティングデバイス
１６０          キーボード
【図１】
2017181907.tif 000003
【図２】
2017181907.tif 000004
【図３】
2017181907.tif 000005
【図４】
2017181907.tif 000006
【図５】
2017181907.tif 000007
【図６】
2017181907.tif 000008